(57)【要約】【課題】パノラマ、セファロ、ＣＴ撮影等を単独または、兼用型Ｘ線撮影装置用の被検者の頭部を規格性、再現性を維持しながら被検者に優しい頭部規格固定装置の提供を図る。【解決手段】本願は、パノラマ断層撮影、断層撮影、セファロＸ線撮影、ＣＴ撮影を単独あるいは、これらの一部または、全てを兼用可能なＸ線撮影装置に用いられる被検者の頭部を規格性および、再現性を維持して固定するイヤーロッド方式の頭部規格固定装置の被検者の外耳孔に挿入されるイヤーロッドが、前記イヤーロッドアームとの接合部に近い根本部分に、一定負荷以上の力が作用すると折れ易くなるための形状を施した。【選択図】図２
2011019688.tif 000002
【特許請求の範囲】
【請求項１】
パノラマ断層撮影、断層撮影、セファロＸ線撮影、ＣＴ撮影を単独あるいは、これらの一部または、全てを兼用出来るタイプのＸ線撮影装置に用いられる頭部規格固定装置であって、左右対称に開閉可能にＸ線透過性の高い素材で製作されたイヤーロッド部を介しての被検者の頭部の位置付けに際し、規格性および、再現性を確保するために被検者の外耳孔に挿入されるイヤーロッドが、イヤーロッドアームとの接合部に近い根本部分に、一定負荷以上の力が作用すると折れ易くするための形状を施したことを特長とするＸ線撮影装置用頭部規格固定装置。
【請求項２】
前記イヤーロッドは、前記イヤーロッドアームとの接合部に近い根本部分に、一定負荷以上の力が作用すると、前記イヤーロッドアームとの接合部に近い根本部分で折れやすくするための前記形状として、その外周に略Ｖ字状の溝を設けたことを特長とする請求項１に記載のＸ線撮影装置用頭部規格固定装置。
【請求項３】
前記イヤーロッドは、イヤーロッドの段差のあるフランジ部と前記イヤーロッドアームとの勘合部よりなり、前記イヤーロッドの根本部分に設けた略Ｖ字状の溝は、折れた際に鋭利な突起が表面に出ないように、前記イヤーロッドのその段差のあるフランジ部との間で前記フランジ部側に前記略Ｖ字状の溝の先端が入り込む様に設けられていることを特長とする請求項１または、２項に記載のＸ線撮影装置用頭部規格固定装置。
【請求項４】
前記イヤーロッドは、その切り欠き部に８００ｇ〜２ｋｇの範囲内の予め設定された負荷が加わると折れることを特長とする請求項１〜３項に記載のＸ線撮影装置用頭部規格固定装置。
【請求項５】
前記イヤーロッドは、その切り欠き部に８００ｇ〜２ｋｇの範囲内の予め設定された複数の負荷の中から択一的イヤーロッドを選択し、選択したイヤーロッドを有するイヤーロッド部ごと、前記頭部規格固定装置の開閉手段に脱着可能としたことを特長とする請求項１〜４項に記載のＸ線撮影装置用頭部規格固定装置。
【請求項６】
前記イヤーロッドは、その切り欠き部に８００ｇ〜２ｋｇの範囲内の予め設定された複数の負荷の中から択一的にイヤーロッドを選択し、選択したイヤーロッドを前記イヤーロッドアームに脱着可能としたことを特長とする請求項１〜４項に記載のＸ線撮影装置用頭部規格固定装置。
【発明の詳細な説明】
【技術分野】
【０００１】
本発明は、Ｘ線撮影装置用頭部固定装置の改良に係わり更に詳しくは、歯科領域でのＸ線撮影に際して規格性および、再現性の確保を目的としたＸ線撮影装置用頭部固定装置に用いるイヤーロッド部の改良に関する。
【背景技術】
【０００２】
頭頸部領域の撮影用として用いられるＸ線撮影装置用頭部固定装置には、代表的な例では、歯科用パノラマ断層撮影または、セファロＸ線撮影等に常用され、他にも断層撮影、ＣＴ撮影等にも使用されている事が知られている。また、近年では、これらの装置単体だけでなく兼用型装置としてこれらの装置の一部または、全部の機能を有する兼用型装置にも応用されていることも公知である。
【０００３】
例えば、実公平０３−４９６９０では、「頭部Ｘ線規格写真撮影装置のイヤーロッド」として、パノラマ・セファロＸ線撮影兼用型装置のセファロ撮影用の頭部規格固定装置に利用されるイヤーロッドに関するもので、セファロ撮影されたＸ線フィルム上でイヤーロッド部のＸ線像は鮮鋭にしてコントラストに優れている必要があるのに対して、その手段としてその材質と、形状を特定し、より鮮鋭で、コントラストを強調することが可能な頭部Ｘ線規格写真撮影装置のイヤーロッドが開示されている。
【０００４】
また、特開２００４−２０８７５４では、「歯科用Ｘ線撮影装置」として、ライン状のＸ線センサカセッテを用いた歯科用パノラマ・セファロ兼用型Ｘ線撮影装置あるいは、セファロＸ線撮影装置に於いて、セファロ撮影時に、Ｘ線源の前面でＸ線源とイヤーロッド中心を結ぶ直線に対して直交する水平方向に移動が可能に設けられた１次スリットと、この１次スリットを介して扇状Ｘ線ビームを照射するＸ線源に対向して前記Ｘ線源とイヤーロッド中心を結ぶ直線上に配置されたセファロユニットより垂直に垂下し且つ、前記Ｘ線源から１次スリットを介して照射された扇状Ｘ線ビームに対向し、前記Ｘ線源とイヤーロッド中心を結ぶ直線に対して直交する水平方向に移動可能に設けられた２次スリットと、セファロユニットの中央部分に配置されたセファロスタッド機構部を挟み対向配置され、前記２次スリットと同様にセファロユニットから垂直に垂下し且つ、前記扇状Ｘ線ビームに対向して、前記Ｘ線源とイヤロット中心を結ぶ直線に対して直交する水平方向に移動可能に設けられたＸ線センサカセッテのそれぞれの動きが、Ｘ線源を中心として絶えず一直線上に位置するように同期して走査される速度、即ち撮影時間が個々の撮影術式に対して予め複数設定され、且つ、その中から撮影時間を択一的に選択可能としたことを特徴とする歯科用Ｘ線撮影装置が開示されている。
【０００５】
また、特願２００７−３１９１５０では、被写体Ｏに対してＸ線を照射するＸ線照射手段２と、被写体Ｏを透過したＸ瀬を検出するＸ線検出手段１と、Ｘ線照射手段２およびＸ線検出手段１を対向して旋回する旋回手段とを備え、Ｘ線検出手段１が、第１センサー部１０および第２センサー部１１を備え、第１センサー部１０を保持する第１ホルダー部２０と、第２センサー部１１を保持する第２ホルダー部２１と、第１センサー部１０を第１ホルダー部２０に対して着脱自在とする着脱手段と、第１センサー部１０を第１ホルダー部２０から取り外した際に、第１ホルダー部２０を第２ホルダー部２１に格納可能とする格納手段１３を備えた医療用Ｘ線撮影装置が開示されている。
【０００６】
上記の装置は、大きな受像面積を有するＦＰＤセンサーと、短冊状の縦長の受像面積を有するＣＣＤセンサを併用したパノラマ・セファロ・手根骨（単純撮影）・ＣＴ撮影の兼用型の装置で、その撮影モードには、パノラマ撮影モード（歯顎撮影・顎関節撮影(２分割、４分割)・上顎洞撮影）、セファロ撮影モード、手根骨撮影モード、ＣＴ撮影モード等と多彩で、セファロ撮影モード時は勿論、パノラマ撮影モードの場合も顎関節撮影の２／４分割撮影の様な規格性を必要とする場合は、特にイヤーロッドを用いた撮影が行われるのが一般的である。
【０００７】
上記したように、セファロ撮影モード、あるいは、撮影に際して規格性および、再現性の確保を重要視する場合に使用される頭部固定装置は、通常被検者の外耳孔に挿入されるイヤーロッドと、被検者のアゴを乗せる為のチンレストと、同じく被検者の前頭部または、眉間（ナジオン）を押さえるパッドの３点で構成される場合が多く、一般的にこれを３点固定方式として規格性および再現性が高いと評価されている。この手法は、その性質上被検者の動きを規制する事には優れている反面、特に被検者の外耳孔に挿入されるイヤーロッドは、被検者の動きを大幅に規制するため被検者にとって大きな負担となる。勿論術者は撮影に際しては、その状況を十分に説明し、対応可能と判断をした被検者に対して細心の注意を払って位置付け操作をしているにも拘わらず、稀にでは有るがその様に固定され自分の自由がきかなることに対して急激に極端な不安を感じ、そこからの解放を図ろうとする行動をされる被検者がおられ、ひどい場合は外耳孔に挿入されているイヤーロッドを被検者自身が折って脱出されたケースも確認されており、この様な場合に被検者に与えるダメージは大きく極端な場合は、事例によっては外耳部に怪我をされた例も有ることが知られている。  
【先行技術文献】
【特許文献】
【０００８】
【特許文献１】実公平０３−４９６９０号公報
【特許文献２】特開２００４−２０８７５４号公報
【特許文献３】特願２００７−３１９１５０
【発明の概要】
【発明が解決しようとする課題】
【０００９】
そこで本発明は、パノラマ断層撮影、断層撮影、セファロＸ線撮影、ＣＴ撮影を単独あるいは、これらの一部または、全てを併用出来るタイプのＸ線撮影装置に用いられ被検者の頭部を安定的に且つ、規格性と、再現性を重視した従来のイヤーロッド方式の頭部規格固定装置では、従来そのイヤーロッド自体の構造はどちらかと言えば有る程度の負荷がかかっても折れにくくするための材質、構造への思考が主体であったのに対して、本発明は、前述したような突発的な事例が生じた場合に於いても被検者の立場に立って、従来とは逆の発想を行い、規格性、再現性を維持しつつ実際に同様な事例が生じた場合に、被検者に与えるダメージを極力押さえることができる被検者のためのイヤーロッド部を採用した被検者に優しいＸ線撮影装置用頭部規格固定装置を提供することを目的とする。
【課題を解決するための手段】
【００１０】
上記課題の達成のため、本願のＸ線撮影装置用頭部規格固定装置は、パノラマ断層撮影、断層撮影、セファロＸ線撮影、ＣＴ撮影を単独あるいは、これらの一部または、全てを併用出来るタイプのＸ線撮影装置に用いられる頭部規格固定装置であって、左右対称に開閉可能にＸ線透過性の高い素材で製作されたイヤーロッドアームを介して、被検者の位置付けの規格性および、再現性を確保するために被検者の外耳孔に挿入されるイヤーロッドが、前記イヤーロッドアームとの接合部に近い根本部分に、一定負荷以上の力が作用すると折れ易くするための形状を施したことを特長とする。
【００１１】
また、好ましくは、前記イヤーロッドは、前記イヤーロッドアームとの接合部に近い根本部分に、一定負荷以上の力が作用すると、前記イヤーロッドアームとの接合部に近い根本部分で折れやすくするための形状として、その外周に略Ｖ字状の溝を設けたことを特長とする。
【００１２】
また、好ましくは、前記イヤーロッドは、イヤーロッド部と鍔状部と前記イヤーロッドアームとの勘合部よりなり、前記イヤーロッドの根本部分に設けた略Ｖ字状の溝は、折れた際に鋭利な突起が表面に出ないように、前記イヤーロッド部と鍔状部との間で鍔状部側に前記略Ｖ字状の溝の先端が入り込む様に設けられていることを特長とする。
【００１３】
また、好ましくは、前記イヤーロッドは、その切り欠き部に８００ｇ〜２ｋｇの予め設定された負荷が加わると折れることを特長とする。
【００１４】
また、好ましくは、前記イヤーロッドは、その切り欠き部に８００ｇ〜２ｋｇの範囲内の予め設定された複数の負荷の中から択一的にイヤーロッドを選択し、選択したイヤーロッドを有するイヤーロッド部ごと、前記頭部規格固定装置に脱着可能としたことを特長とする。
【００１５】
また、好ましくは、前記イヤーロッドは、その切り欠き部に８００ｇ〜２ｋｇの範囲内の予め設定された複数の負荷の中から択一的にイヤーロッドを選択し、該イヤーロッドを前記イヤーロッドアームに脱着可能としたことを特長とする。
【発明の効果】
【００１６】
従来、頭頸部領域の撮影の際に、規格性、再現性を重視して利用される３点固定方式のＸ線撮影装置用頭部規格固定装置の被検者外耳孔に挿入されるイヤーロッド部に、従来方式とは逆に一定以上の負荷がかかった場合に、イヤーロッド自体がその接続部の根本で、鋭利な突起を残すことなく折れ易くするための切り欠きをイヤーロッドの根本部分の外周に設ける構造を採用し、従来方式と一線を画すことで従来からの問題点の解決を図る。
【００１７】
また、従来はイヤーロッドが折れるとその強度が弱いためだとされ折れにくくするための配慮が成されていたのに対して、本願発明は逆の発想でイヤーロッド部の根本部分にある一定以上の負荷がかかるとイヤーロッド自体がその接続部の根本で折れることによって被検者に過大なダメージを与えることなく被検者視線の被検者に対して優しい頭頸部領域の撮影に必要な規格性、再現性を重視したＸ線撮影用頭部固定装置の提供が可能となる。
【図面の簡単な説明】
【００１８】
【図１】本発明に係わるイヤーロッドを用いたＸ線撮影用頭部固定装置を有するデジタルパノラマ／セファロ兼用Ｘ線撮影装置の実施例
【図２】本発明に係わるイヤーロッドを用いたＸ線撮影用頭部固定装置を有するＦＰＤ型頭頸部用Ｘ線ＣＴ撮影装置の実施例
【図３】本発明に係わるイヤーロッドを用いたＸ線撮影用頭部固定装置を有するＦＰＤ／ＣＣＤ兼用Ｘ線パノラマ／ＣＴ撮影装置の実施例
【図４】本発明に係わるイヤーロッドを用いたパノラマ用頭部規格固定装置の１実施形態例および、イヤーロッドの実施形態例の詳細図
【図５】本発明に係わるイヤーロッドを用いたセファロ撮影用頭部規格固定装置の１実施形態例およびイヤーロッドの実施形態例の詳細図
【発明を実施するための形態】
【００１９】
以下、図面を参照して、本発明の実施形態について説明する。
【００２０】
図１は、本発明に係わるイヤーロッドを用いたＸ線撮影用頭部固定装置を有する歯科用のデジタルパノラマ・セファロ兼用Ｘ線撮影装置の実施例の全体図で、図（ａ）は、その正面図、図（ｂ）は、左側面図、図（ｃ）は、平面図を表している。この装置は、パノラマ撮影装置側に設けられたパノラマ撮影用の頭部規格固定装置１に被検者の頭部を位置付け固定し、旋回アーム２に対向配置された一台の短冊状のＣＣＤセンサー部４と、Ｘ線発生器３を用いて前記旋回アーム２がパノラマ撮影用の旋回運動をすることによってパノラマ撮影をおこない、前記ＣＣＤセンサー部４をパノラマ撮影側から取り外して、上下摺動部から水平方向に延びるアームの端部に設けられたセファロ撮影手段８側に設けられたセファロ撮影のために用いる頭部規格固定装置９に前記同様に被検者の頭部を位置付け固定して拡大率１．１倍のセファロ撮影を行うパノラマ・セファロ兼用Ｘ線撮影装置で、イヤーロッド部９ａは、セファロ撮影のために用いる頭部規格固定装置９には常用され、また、パノラマ撮影の場合は、その撮影モードによって被写体頭部の位置付けに規格性を必要とする顎関節２分割撮影・顎関節４分割撮影等の撮影時にイヤーロッド部１ａを用いて、被検者の頭部を安定的にまた、必要に応じて規格性を持たせて固定するためにパノラマ撮影用の頭部規格固定装置１と、セファロ撮影のために用いる頭部規格固定装置９に設けられているイヤーロッド部１ａのイヤーロッド１ｂおよび、イヤーロッド部９ａのイヤーロッド９ｂの形状に関して、後に詳述するようにその改良をおこない従来とは逆に、イヤーロッドに一定以上の負荷がかかると折れやすい構造とした。
【００２１】
また、図２は、本発明に係わるイヤーロッドを用いたＸ線撮影用頭部固定装置を有するＦＰＤ型頭頸部用Ｘ線ＣＴ撮影装置の実施例の全体図で、図（ａ）は、正面図で、図（ｂ）は、右側面の一部断面図で、図（ｃ）は、平面図を表している。
【００２２】
図に於いて、ＦＰＤ型のＸ線センサー１４は、最大の有効照射野の寸法が約３００ｍｍ×３００ｍｍと大きいため、その画像再構成範囲は例えば、最大で直径２００ｍｍ×高さ１８０ｍｍ〜最小で直径３０ｍｍ×高さ３０ｍｍの間、予め設定された複数の再構成範囲の中から診断目的に適した画像再構成範囲が択一的に選択され、被写体を間に、旋回アーム１２に対向配置されたＸ線発生器１３と、Ｘ線センサー１４が、Ｘ線発生器１３から照射される角錐形のコーンビームＸ線を前記旋回アーム１２を介して例えば１８０゜または、３６０゜水平に旋回させ得られた該角度分の画像データーから３Ｄ画像、パノラマ画像を含むＣＴ画像の再構成は勿論、例えば、レイサム法を応用した拡大率１．１倍のセファロ撮影画像の再構成、また、必要に応じてデジタルパノラマ撮影も可能なデジタルパノラマ・セファロ・ＣＴ兼用型の装置で、この装置もまた、被検者の頭部を安定的に且つ、規格性を持たせて固定するために撮影のための頭部規格固定装置１１が設けられているイヤーロッド部１1ａ（図５の９ａ）のイヤーロッド１１ｃ（図５の９ｃ）の形状に関して、後に詳述するようにその改良をおこない従来とは逆に、イヤーロッドに一定以上の負荷がかかると折れやすい構造とした。
【００２３】
また、この頭部規格固定装置１１に開閉自在に設けられた左右のイヤーロッド部１１ａには、前記レイサム法によるセファロ撮影画像の再構成の際の基準となるために左右のイヤーロッド１１ｃの先端部にチタン球等のマーカー１１ｇが設けられている。
【００２４】
上下摺動部から水平方向に延び図３は、本発明に係わるイヤーロッドを用いたＸ線撮影用頭部固定装置を有するコーンビームＸ線と、短冊状のパノラマ用Ｘ線の両方を使用するＦＰＤ／ＣＣＤ兼用Ｘ線パノラマ／ＣＴ撮影装置の実施例の全体図で、小型のＰＰＤ型センサー４’と、図示しない短冊状のＣＣＤセンサーを併用し、前記小型のＰＰＤ型センサー４’で主にＣＴ装置を主体として撮影し、また、短冊状のＣＣＤセンサーで、パノラマ撮影と、セファロセファロ撮影を行うパノラマ・セファロ・ＣＴ兼用装置を示し、また、上下摺動部から水平方向に延びるアームの端部に設けられたセファロ撮影手段８側に装着して拡大率１．１倍のセファロ撮影を行うパノラマ・セファロ兼用Ｘ線撮影装置には、前記短冊状のＣＣＤセンサーを標準として使用する他、装置の選択としてＦＰＤ型の大型のセンサーを使用することで撮影時間の短縮を行う事も可能である。この装置も図１と同様に被検者の頭部を安定的にまた、必要に応じて規格性を持たせて固定するためにパノラマ撮影のための頭部規格固定装置１’と、セファロ撮影のために用いる頭部規格固定装置９’が設けられており、該パノラマ撮影のための頭部規格固定装置１’と、セファロ撮影のために用いる頭部規格固定装置９’に設けられた、後に詳述するようにイヤーロッド部1ａおよび、イヤーロッド部９ａのイヤーロッド１ｂおよび、イヤーロッド９ｂの形状の改良をおこない従来とは逆に折れやすい構造とした。
【００２５】
図４は、図３のＦＰＤ／ＣＣＤ兼用Ｘ線パノラマ／ＣＴ撮影装置のパノラマ撮影および、ＣＴ撮影に用いられる術者と被検者が対面状となるように被検者を位置付けするタイプの頭部規格固定装置１’に、本発明のイヤーロッド１ｂを用いた１実施例の詳細を説明する。図（ａ）は、その平面図、図（ｂ）は、側面図を、また、図（ｃ）は、イヤーロッド１ｂの詳細図である。図（ａ）、図（ｂ）に於いて、基台部２０には、被検者の外耳孔に挿入し、被検者を安定的に規格性と再現性を維持して位置付けするために開閉自在に設けられた図示しない開閉手段に、着脱自在に設けられたイヤーロッド部１ａ、そのイヤーロッド部１ａを開閉するためのツマミハンドル２１、また、上下摺動可能に設けられた被検者の顎用レスト２２、また、一部しか図示していないが、必要に応じて基台部２０に対して着脱自在に設けられた被検者の前頭部または、ナジオンを支持するための支持手段２３、また、被検者用取手２４、また、被検者の位置付けに必要な電気的操作部２７、また、パノラマ撮影時の前歯部の基準位置を指示するための照準用レーザービーム８，また、被検者の正中ラインを指示するためのレーザービーム２１が設けられている。
【００２６】
上記したイヤーロッド部１ａは、被検者正中部に対して左右対称に開閉自在にそれぞれ、一対の支持アーム１ｂと、イヤーロッド１ｃで構成されており、イヤーロッド１ｃは、図（ｃ）に示すように支持アーム１ｂへ挿入される挿入部と、段差のあるフランジ部１ｄと、被検者外耳孔に挿入される部分１ｅとでなっており、前記段差のあるフランジ部１ｄと、被検者外耳孔に挿入される部分との境界部周辺に例えば図示の様に一定以上の負荷がかかった場合に、前記イヤーロッド１ｅが折れ易くなる様に切り欠き部１ｆを設けてある。また、この切り欠きは、仮に折れた際にも前記フランジ部分に鋭利な突起が残ることで被検者の怪我に繋がることを極力避けるために、フランジ側に角度を付けて略Ｖ字状に切り込まれている。従って、前記フランジ部分に鋭利な突起が残ることも無く被検者の怪我に繋がることが避けられる効果がある。また、図に於いて、必要に応じてパッド形式の側頭部押さえも前記イヤーロッド部１ａと交換して使用することも可能である。
【００２７】
また、図５は、本発明に係わるイヤーロッドを用いたセファロ撮影用頭部規格固定装置の１実施形態例およびイヤーロッドの実施形態例の詳細図で、パノラマ・ＣＴ撮影装置側の上下摺動部５，５’から水平方向に延びるアーム１０の端部に設けられたセファロ撮影手段８が設けられ、そのセファロ撮影手段８には、被検者の頭部を安定的に且つ、規格性を持たせて位置付け固定するための頭部規格固定装置９が設けられている。
【００２８】
セファロ撮影に際してその撮影モードが選択されると、セファロ撮影の為に予め設定された位置関係にアームの前後位置及びその角度に、Ｘ線発生器の水平回転角度等のセファロ撮影に必要な位置関係が自動的に設定される。
【００２９】
前記頭部規格固定装置９に設けられた左右のイヤーロッド部９ａは開閉可能で、Ｘ線源と、左右のイヤーロッド部９ａの中心を結ぶ直線に直交する垂直線（被検者の両外耳孔と正中線の交点）を中心として通常被検者の正面像および側面像を撮影できるように少なくとも９０゜回転出来るように構成されている。また、この時の撮影は、拡大率１．１倍のセファロ撮影を行うことが出来る様に構成されている。
【００３０】
図（ｃ）に於いて、イヤーロッド９ｃは、イヤーロッドアーム９ｂに対する挿入部と、被検者の外耳孔に挿入される部分９ｅと、段差のあるフランジ部９ｄおよび、前記段差のあるフランジ部９ｄと、被検者外耳孔に挿入される部分９ｅとの境界部周辺に例えば図示の様に一定以上の負荷がかかった場合に、前記イヤーロッド１ｅが折れ易くなる様に切り欠き部９ｆを設けてある。また、この切り欠きは、仮に折れた際にも前記フランジ部分に鋭利な突起が残ることで被検者の怪我に繋がることを極力避けるために、フランジ側に角度を付けて略Ｖ字状に切り込まれている。従って、前記フランジ部分に鋭利な突起が残ることも無く被検者の怪我に繋がることが避けられる効果がある。
【００３１】
また、図２で示すイヤーロッド部１１ａも図４に示すイヤーロッド部９ａと基本的に同じで、イヤーロッドアーム９ｂの形状を１１ｂに変えることで、前記した図２のイヤーロッド部１１ａとなり、前記イヤーロッド１ｅが折れ易くなる様に切り欠き部９ｆを設けてある。また、この切り欠きは、仮に折れた際にも前記フランジ部分に鋭利な突起が残ることで被検者の怪我に繋がることを極力避けるために、フランジ側に角度を付けて略Ｖ字状に切り込まれている。また、前記したようにフランジ部分に鋭利な突起が残ることも無く被検者の怪我に繋がることが避けられる効果がある。
【００３２】
図４，図５に於いて、イヤーロッドの材質は、一般的にはプラスチックが使用されることが多いが例えば、木材を使用しても構わない、また、折れやすくするためと被検者の怪我を極力避けるための切り欠きを含めて、その効果をもたらす構造であれば前記した例に拘る必要は無い。また、本発明は、被検者重視と言う基本的な姿勢に立ち返った結果、従来とは別の視点からの発想で難題であった問題点の解決を図った。
【符号の説明】
【００３３】
１    パノラマ撮影に用いる頭部規格固定装置
１ａ  イヤーロッド部
１ｂ  イヤーロッドアーム
１ｃ  イヤーロッド
１ｄ  段差のあるフランジ部
１ｅ  外耳孔挿入部
１ｆ  切り欠き部
２    旋回アーム
３    Ｘ線発生器
４    Ｘ線センサー
４’   小型ＦＰＤセンサー／ＣＣＤセンサー
５    上下摺動体
８    セファロ撮影手段
９    セファロ撮影に用いる頭部規格固定装置
９ａ  イヤーロッド部
９ｂ  イヤーロッドアーム
９ｃ  イヤーロッド
９ｄ  段差のあるフランジ部
９ｅ  外耳孔挿入部
９ｆ  切り欠き部
１０    セファロ用アーム
１１    共用型頭部規格固定装置
１１ａ  イヤーロッド部
１１ｂ  イヤーロッドアーム
１２    旋回アーム
１３    Ｘ線発生器
１４    ＦＰＤ型Ｘ線センサー
【図１】
2011019688.tif 000003
【図２】
2011019688.tif 000004
【図３】
2011019688.tif 000005
【図４】
2011019688.tif 000006
【図５】
2011019688.tif 000007